(57)【要約】【課題】容器本体側の係止片を容器本体と一体に成形してもなお、該係止片をスムーズに作動可能とするとともに蓋体の確実な開放を保障可能な化粧料容器を提案する。【解決手段】化粧料容器１は、底壁７と周壁１７とからなる容器本体３と、該容器本体３に合わさる蓋体５とを備える。周壁１７は、蓋体５が連結される後側側壁９と後側側壁９に対向する前側側壁と後側側壁９および前側側壁１１間をそれぞれつなぐ右側側壁１３および左側側壁１５とからなる。容器本体３の前側側壁１１には、蓋体側係止片３１と係合して蓋体５の閉姿勢を保持する容器本体側係止片３５が一体に設けられている。前側側壁１１と底壁７との間には、前側側壁１１に沿って延び前側側壁１１を底壁７から切り離すスリット３７が設けられ、その両端部３７ａ、３７ｂはそれぞれ折り曲げられて右側側壁１３と底壁７との間および左側側壁１５と底壁７との間まで延設される。【選択図】図５
2012115438.tif 000002
【特許請求の範囲】
【請求項１】
底壁と該底壁の周縁を取り囲む周壁とからなり内側に化粧料の収容空間を形成する容器本体と、前記容器本体に合わさって前記収容空間を閉塞する蓋体と、を備え、前記周壁が、前記蓋体が開放可能に連結される後側側壁と該後側側壁に対向する前側側壁とこれらの後側側壁および前側側壁相互間をそれぞれつなぐ右側側壁および左側側壁とからなる化粧料容器であって、
前記蓋体から前記容器本体の前記前側側壁に向けて蓋体側係止片を垂下するとともに、前記容器本体の前記前側側壁に、前記蓋体を前記容器本体に合わせた状態にて前記蓋体側係止片と係合して前記蓋体の閉姿勢を保持する容器本体側係止片を一体に設け、
前記前側側壁と前記底壁との間に、該前側側壁に沿って延び前側側壁を前記底壁から切り離すスリットを設けるとともに、該スリットの両端部をそれぞれ折り曲げて前記右側側壁と前記底壁との間および前記左側側壁と前記底壁との間まで延設したことを特徴とする化粧料容器。
【請求項２】
前記蓋体から垂下する突片であって、該突片の下端に前記収容空間に向けて下がり勾配をなし、前記前側側壁を押し込んだ際に該前側側壁の上端と係合して前記蓋体を上方に押し上げる推力面を有する突片を設けてなる、請求項１に記載の化粧料容器。
【発明の詳細な説明】
【技術分野】
【０００１】
この発明は、ファンデーションやアイシャドー等の化粧料を入れるのに適した化粧料容器に関し、とくには、蓋体に設けられた係止片と、容器本体に設けられ蓋体側の係止片と係止して蓋体の閉姿勢を保持する係止片とを有する化粧料容器に関するものである。
【背景技術】
【０００２】
内部の収容空間にファンデーションやアイシャドー等の化粧料を入れるのに適した扁平な化粧料容器としては、従来、蓋体の係止片を容器本体の係止片に引っ掛ける（係止させる）ことで、蓋体の閉姿勢を保持するものが一般的であり、とくに、その係止構造としては、容器本体とは別体をなす操作部材に容器本体側の係止片を形成し、この操作部材を手前に揺動あるいは横にスライドさせることで、蓋体側の係止片との係止を解除するようにしたものが提案されている（例えば、特許文献１参照。）。
【先行技術文献】
【特許文献】
【０００３】
【特許文献１】実開昭６４−６２５９号公報
【発明の概要】
【発明が解決しようとする課題】
【０００４】
ところで、このような操作部材を容器本体とは別体として設けたものにおいては、部品点数が増加するとともに、その組立作業も煩雑となるばかりか、操作部材の、枢支軸を起点とした破損も懸念され、さらに、見た目としてもすっきりしないものである。
【０００５】
このような点に鑑み、容器本体側の係止片を容器本体と一体に成形することも考えられるが、このようにした場合、該係止片の作動が硬くなり使用者に違和感を与えるばかりか、蓋体の確実な開放も保障されなくなるという問題がある。
【０００６】
それゆえ、この発明は、このような問題を解決し、蓋体側の係止片に係止する容器本体側の係止片を容器本体と一体に成形してもなお、該係止片をスムーズに作動可能とするとともに蓋体の確実な開放を保障することができる化粧料容器を提案することをその目的とする。
【課題を解決するための手段】
【０００７】
この発明は、上記課題を解決するためになされたものであり、この発明の化粧料容器は、底壁と該底壁の周縁を取り囲む周壁とからなり内側に化粧料の収容空間を形成する容器本体と、前記容器本体に合わさって前記収容空間を閉塞する蓋体と、を備え、前記周壁が、前記蓋体が開閉可能に連結される後側側壁と該後側側壁に対向する前側側壁とこれらの後側側壁および前側側壁相互間をそれぞれつなぐ右側側壁および左側側壁とからなる化粧料容器であって、前記蓋体から前記容器本体の前記前側側壁に向けて蓋体側係止片を垂下するとともに、前記容器本体の前記前側側壁に、前記蓋体を前記容器本体に合わせた状態にて前記蓋体側係止片と係合して前記蓋体の閉姿勢を保持する容器本体側係止片を一体に設け、前記周壁の前記前側側壁と前記底壁との間に、該前側側壁に沿って延び前側側壁を前記底壁から切り離すスリット（隙間）を設けるとともに、該スリットの両端部をそれぞれ折り曲げて前記右側側壁と前記底壁との間および前記左側側壁と前記底壁との間まで延設したことを特徴とするものである。なお、ここでいう「後側」とは蓋体と容器本体とが連結される側を指し、「右側」とは前側側壁を正面として見たときの右側を指し、「左側」とは前側側壁を正面として見たときの左側を指すものとする。
【０００８】
かかる化粧料容器にあっては、使用者が容器本体側係止片を一体に有する前側側壁を押し込むと、前側側壁と底壁との間に延びるスリットの両端部がそれぞれ右側側壁と底壁との間、および左側側壁と底壁との間まで延在することから、該前側側壁は、右側側壁および左側側壁の一端部を中央に向けて巻き込みながら弓なりに変形し、その結果、前側側壁は充分に撓んで、蓋体側係止片と容器本体側係止片との係合が解除される。
【０００９】
したがって、この発明の化粧料容器によれば、蓋体側の係止片に係止する容器本体側の係止片を容器本体と一体に成形してもなお、スリットを介した前側側壁の充分な撓み変形により容器本体側係止片をスムーズに作動可能とし、蓋体の確実な開放を保障することができる。また、前側側壁をスムーズに撓ませることができるので、前側側壁を押し込んだ際に前側側壁に作動ひずみ（クラッキング）が発生するのを防止することができる。
【００１０】
なお、この発明の化粧料容器にあっては、前記蓋体から垂下する突片であって、該突片の下端に前記収容空間に向けて下がり勾配をなし、前記前側側壁を押し込んだ際に該前側側壁の上端と係合して前記蓋体を上方に押し上げる推力面を有する突片を設けることが好ましく、これによれば、前側側壁を押すと同時に蓋体を開くことができ、蓋体の開放操作をより簡単に行うことが可能となる。
【発明の効果】
【００１１】
この発明によれば、蓋体側の係止片に係止する容器本体側の係止片を容器本体と一体に成形してもなお、スリットを介した前側側壁の充分な撓み変形により容器本体側係止片をスムーズに作動可能とし、蓋体の確実な開放を保障することができる化粧料容器を提案することができる。また、前側側壁をスムーズに撓ませることができるので、前側側壁を押し込んだ際に前側側壁に作動ひずみ（クラッキング）が発生するのを防止することができる。
【図面の簡単な説明】
【００１２】
【図１】この発明にしたがう一実施形態の化粧料容器の平面図である。
【図２】（ａ）は図１におけるＡ−Ａ線に沿う断面を示す断面図であり、（ｂ）は図１におけるＢ−Ｂ線に沿う断面を示す断面図である。
【図３】図１の化粧料容器において、蓋体を省略し容器本体を示す平面図である。
【図４】図１の化粧料容器の底面図である。
【図５】図１の化粧料容器において、容器本体の要部を示す斜視図である。
【図６】（ａ）、（ｂ）はそれぞれ、図１の化粧料容器において、蓋体の開放動作を示す、図２（ｂ）と同様の断面における断面図である。
【発明を実施するための形態】
【００１３】
以下、この発明の実施の形態を図面に基づき詳細に説明する。
【００１４】
図１〜３に示すように、この実施形態の化粧料容器（コンパクト容器ともいう。）１は、ファンデーションやアイシャドー等の化粧料やパフ等の塗布具を収納する収容空間を形成する容器本体３と、容器本体３に合わさって容器を閉塞する蓋体５とを備え、これらの容器本体３および蓋体５は合成樹脂製であり、とくには適度な剛性を有しつつも曲げ疲労性に優れたＡＢＳ樹脂を用いることが好ましい。
【００１５】
容器本体３は、とくに図２（ａ）、（ｂ）に示すように、矩形の底壁７と該底壁７の周縁を取り囲むとともに底壁７と協働して内側に上記収容周壁を形成する周壁１７とからなり、周壁は、蓋体５が開閉可能に連結される後側側壁９と、後側側壁９に対向する前側側壁１１と、これらの後側側壁９および前側側壁１１相互間をそれぞれつなぐ右側側壁１３および左側側壁１５とからなる矩形形状を有する。この実施形態では、とくに図３に示すように、周壁１７の内側には、収容空間を二つの収納部Ｒ１、Ｒ２に分離、区画する中枠１９が設けられ、一方の収納部Ｒ１には化粧料を充填、保持することができる中皿２１を嵌め込むことができる。
【００１６】
蓋体５は、天壁２３と天壁２３周縁から容器本体３の周壁１７に向けて延びる垂壁２５とを有し、容器本体３の後側側壁９に二つの枢軸（ピン）２７、２９を介して開閉可能に保持されている。垂壁２５の、枢軸２７、２９の対向側に位置する長辺部２５ａ中央には、長辺部２５ａの内面から容器内部に向けて突出する蓋体側係止片３１が設けられている。蓋体５の裏面には、鏡３３が設けられている。
【００１７】
そして、とくに図４、５に示すように、容器本体３の前側側壁１１には、蓋体５を容器本体３に合わせた状態にて蓋体５の蓋体側係止片３１と係合して蓋体５の閉姿勢を保持する容器本体側係止片３５が一体的に設けられている。すなわち、容器本体側係止片３５は、例えば熱可塑性樹脂を用いた射出成形により容器本体３と一体に成形されるものである。容器本体側係止片３５は、前側側壁１１の上端から僅かに内側に形成され断面L字形状を有するとともに、先端に蓋体側係止片３１と係合（係止）する係止爪３５ａが形成されている。前側側壁９の、容器本体側係止片３５に対応する部分には、容器本体側係止片３５を押し込んで蓋体５を開ける際の目印としての役割も果たす、外側に向けて僅かに膨らんだ膨出部３６が形成されている。
【００１８】
さらに、前側側壁１１と底壁７との間には、前側側壁１１に沿って延び該前側側壁１１を底壁７から切り離すスリット（隙間）３７が設けられている。このスリット３７は、その両端部３７ａ、３７ｂがそれぞれ後側側壁９に向けて折り曲げられて右側側壁１３と底壁７との間、および左側側壁１５と底壁７との間にまで延設されている。
【００１９】
また、この実施形態では、蓋体５には前側側壁１１に向けて突片３９、４１が垂設され、該突片３９、４１の下端には、収容空間に向けて下がり勾配をなし、前側側壁１１の膨出部３６を押し込んだ際に該前側側壁１１の上端と係合して蓋体５を上方に押し上げる推力面３９ａ、４１ａが形成されている。
【００２０】
このような構成を具える化粧料容器１にあっては、図６（ａ）に矢印Ｐにて示すように、使用者が容器本体側係止片３５を一体に有する前側側壁１１の膨出部３６を押し込むと、前側側壁１１と底壁７との間に延びるスリット３７の両端部３７ａ、３７ｂがそれぞれ右側側壁１３と底壁７との間、および左側側壁１５と底壁７との間まで延在することから、前側側壁は、右側側壁１３および左側側壁１５の一端部を中央に向けて巻き込みながら弓なりに変形し（図１中の矢印Ｍ１、Ｍ２参照）、その結果、前側側壁１１は充分に撓んで、蓋体側係止片３１と容器本体側係止片３５の係止爪３５ａとの係合が解除される。この際、図６（ｂ）に示すように、蓋体５は、突片３９、４１の推力面３９ａ、４１ａが前側側壁１１に上端に押されることによって上方へ押し上げられる。
【００２１】
したがって、この化粧料容器１によれば、蓋体側係止片３１に係止する容器本体側係止片３５を容器本体３と一体に成形してもなお、スリット３７を介した前側側壁１１の充分な撓み変形により容器本体側係止片３５をスムーズに作動可能とし、蓋体５の確実な開放を保障することができる。
【００２２】
また、この実施形態では、蓋体５から垂下する突片３９、４１であって、該突片３９、４１の下端に収容空間に向けて下がり勾配をなし、前側側壁１１を押し込んだ際に該前側側壁１１の上端と係合して蓋体５を上方に押し上げる推力面３９ａ、４１ａを有する突片３９、４１を設けたことから、膨出部３６を押すと同時に蓋体５を開くことができ、蓋体５の開放操作をより簡単に行うことが可能となる。
【００２３】
以上、図示例に基づきこの発明を説明したが、この発明は上述した実施形態に限定されるものではなく、特許請求の範囲の記載内で適宜に変更することができ、突片は一箇所でもよい。
【産業上の利用可能性】
【００２４】
かくして、この発明によれば、蓋体側の係止片に係止する容器本体側の係止片を容器本体と一体に成形してもなお、該係止片をスムーズに作動可能とするとともに蓋体の確実な開放を保障することができる化粧料容器を提案することができる。
【符号の説明】
【００２５】
１  化粧料容器
３  容器本体
５  蓋体
７  底壁
９  後側側壁
１１  前側側壁
１３  右側側壁
１５  左側側壁
１７  周壁
３１  蓋体側係止片
３５  容器本体側係止片
３５ａ  係止爪
３７  スリット
３７ａ、３７ｂ  スリットの端部
３９、４１  突片
３９ａ、４１ａ  推力面
【図１】
2012115438.tif 000003
【図２】
2012115438.tif 000004
【図３】
2012115438.tif 000005
【図４】
2012115438.tif 000006
【図５】
2012115438.tif 000007
【図６】
2012115438.tif 000008